(57)【要約】      （修正有）【課題】互いに方向性を有する容器本体及び塗布部を容易に所望の相対位置に位置決めした状態として使用し得る塗布用容器を提供する。【解決手段】本発明の塗布用容器１は、接着剤Ｂを収容し方向性を有する形状をなす容器本体２と、当該容器本体２に収容された接着剤Ｂを対象物に対し塗布するように前記容器本体２に取付けられるものであり方向性を有するべく傾斜先端部６４を形成したノズル６とを有する塗布用容器１であって、接着剤Ｂを塗布し得ない状態で容器本体２及びノズル６とを係合させる第一の係合位置（Ｐ）と、所定の方向性をなし且つノズル６が接着剤Ｂを塗布し得る状態で相対移動不能に係合させる第二の係合位置（Ｑ）とで係合させ得るとともに第一の係合位置（Ｐ）から第二の係合位置（Ｑ）への動作を案内し得る係合案内部２５を具備してなる。【選択図】図１０
2013159392.tif 000002
【特許請求の範囲】
【請求項１】
塗布物を収容し方向性を有する形状をなす容器本体と、
当該容器本体に収容された塗布物を対象物に対し塗布するように前記容器本体に取付けられるものであり方向性を有する形状をなす塗布部とを有する塗布用容器であって、
前記塗布部が前記塗布物を塗布し得ない状態で前記容器本体及び前記塗布部とを係合させる前記第一の係合位置と、前記容器本体及び前記塗布部が互いに所定の方向性をなした前記塗布部が前記塗布物を塗布し得る状態で相対移動不能に係合させる第二の係合位置とで前記容器本体及び前記塗布部を係合させ得るとともに前記第一の係合位置から前記第二の係合位置への動作を案内し得る係合案内部を具備してなることを特徴とする塗布用容器。
【請求項２】
前記係合案内部が、前記塗布部と前記容器本体と相対的に回転させながら前記第二の係合位置へ案内するものである請求項１記載の塗布用容器。
【請求項３】
前記係合案内部が、前記第一の係合位置から前記塗布部と前記容器本体とを接合させる方向に前記第二の係合位置へ案内する請求項１記載の塗布用容器。
【請求項４】
前記塗布部が、先端部が傾斜方向に切除された傾斜先端部を有するノズルであり、前記傾斜先端部の端部によって形成された先端面の方向が、前記第二の係合位置で前記容器本体に対し所定の方向を向く請求項１、２又は３記載の塗布用容器。
【請求項５】
前記容器本体が、前記塗布物を密閉した密閉部を収容することにより前記塗布物を収容したものであるとともに、前記第二の係合位置で前記ノズルの基端が前記密閉部の内部に挿入され得る請求項４記載の塗布用容器。
【請求項６】
前記容器本体が、押圧操作されることにより前記塗布物を塗布部へ供給し得るボタンを取付けたものであり、当該ボタンが前記容器本体から表出する方向が前記塗布部に対し所定の方向を向く請求項１、２、３、４又は５記載の塗布用容器。
【発明の詳細な説明】
【技術分野】
【０００１】
本発明は、接着剤などの塗布物を塗布するための塗布用容器に関するものである。
【背景技術】
【０００２】
従来、容器本体に収容された塗布物を塗布することを目的としたもので、容器本体内の塗布物をノズル等の塗布部を介して塗布することができる容器において、塗布部を確実に容器本体に取付けるための塗布用容器の構造が種々提案されている(例えば、特許文献１参照)。
【０００３】
ここで、容器本体に収容する塗布物によっては、所望の量を正確に塗布する目的や所望の厚みで対象物に塗布するという目的、さらには対象物における所望の範囲を正確に塗布する目的を達成すべく形状や構成が工夫されたものも多い。例えば上記目的を正確に達成するために、容器本体に押圧等を許可する為のボタンを取付けることや容器本体自体の形状を特定の向きに握ったり掴んだりし易い所定の形状に設定したものも提案されている。また、塗布部の形状、特に先端形状を、対象物に接する際の向きの違いにより接触面積を異ならせ得るような形状に設定するということも行われている。
【０００４】
しかしながら、上記特許文献に記載のように、単に容器本体に塗布部を確実に取付けるのみの構造では使用者にとって使いやすい容器本体及び塗布部の向きを実現しようとすると、容器本体に塗布部を取付けた後に互いの相対位置を変更不能に構成した場合は、容器本体に塗布部が所望の姿勢で装着されるよう、予め取付け動作時の相対位置を使用者自身で慎重に設定しなければならない。他方、塗布部を取付けた後に、例えば容器本体に対し塗布部を相対移動させ得るように設定したものであると、使用時に不意に容器本体に対する塗布部の相対位置が変わってしまったり、相対移動し得る構成と容器自体の密閉性といった容器における他の基本的な性能とを両立させるために、構造が複雑となったり、部品点数が多くなってしまったりするという不具合を招来してしまう。
【先行技術文献】
【特許文献】
【０００５】
【特許文献１】特開昭５６−４８９６６号公報
【発明の概要】
【発明が解決しようとする課題】
【０００６】
本発明は、このような点に着目したものであり、互いに方向性を有する容器本体及び塗布部を容易に所望の相対位置に位置決めした状態として使用し得る塗布用容器を提供することを目的としている。
【課題を解決するための手段】
【０００７】
本発明は、このような目的を達成するために、次のような手段を講じたものである。
【０００８】
すなわち本発明に係る塗布用容器は、塗布物を収容し方向性を有する形状をなす容器本体と、当該容器本体に収容された塗布物を対象物に対し塗布するように前記容器本体に取付けられるものであり方向性を有する形状をなす塗布部とを有する塗布用容器であって、前記塗布部が前記塗布物を塗布し得ない状態で前記容器本体及び前記塗布部とを係合させる前記第一の係合位置と、前記容器本体及び前記塗布部が互いに所定の方向性をなし且つ前記塗布部が前記塗布物を塗布し得る状態で相対移動不能に係合させる第二の係合位置とで前記容器本体及び前記塗布部を係合させ得るとともに前記第一の係合位置から前記第二の係合位置への動作を案内し得る係合案内部を具備してなることを特徴とする。
【０００９】
ここで「方向性を有する」とは、手で掴む方向など使用者が接する方向や使用者が対象物に接触させる方向が、特定の方向から異ならせると接する感覚や、接する対象に対する接触面積が異なるなどの特性を発揮し得る形状を意味する。
【００１０】
このようなものであれば、塗布物を塗布し得ない状態である第一の係合位置へと係合させておけば、保管時や出荷・搬送時等に塗布物が塗布され得ない状態を維持することができる。加えて当該第一の係合位置からは係合案内部により、第二の係合位置へ正確に案内し得るので、使用者は容易に所望の状態で塗布物を塗布し得る。そして係合案内部により案内された第二の係合位置で係合させた状態であれば、塗布部を容器本体に対し所望の位置で係合させた状態で塗布物を塗布し得るものとすることができる。また第二の係合位置では容器本体と塗布部との相対移動が禁止されているので、使用により不意に塗布部が移動してしまうことを有効に回避し得る。
【００１１】
第二の係合位置への正確な案内を簡単な構成で実現するためには、係合案内部が、前記塗布部と前記容器本体と相対的に回転させながら前記第二の係合位置へ案内するものであることが望ましい。
【００１２】
他方、第二の係合位置での容器本体及び塗布部の正確な位置決めを実現し易い構成として、前記係合案内部が、前記第一の係合位置から前記塗布部と前記容器本体とを接合させる方向に沿って前記第二の係合位置へ案内する態様を挙げることができる。
【００１３】
塗布物を対象物に対して所望の位置や範囲に塗布し易い態様として、塗布部が、先端部が傾斜方向に切除された傾斜先端部を有するノズルであり、前記傾斜先端部の端部によって形成された先端面の方向が、前記第二の係合位置で前記容器本体に対し所定の方向を向くようにしたものを挙げることができる。
【００１４】
第一の係合位置での塗布物の塗布を確実に禁止するとともに、第二の係合位置での塗布物の塗布を確実なものとする為には、容器本体が、前記塗布物を密閉した密閉部を収容することにより前記塗布物を収容したものであるとともに、前記第二の係合位置で前記ノズルの基端が前記密閉部の内部に挿入され得るものを挙げることができる。
【００１５】
また、使用者の操作によって所望の量やタイミングで塗布物を塗布し得る態様としては、容器本体が、押圧操作されることにより前記塗布物を塗布部へ供給し得るボタンを取付けたものであり、当該ボタンが前記容器本体から表出する方向が前記塗布部に対し所定の方向を向くようにすることが好ましい。
【発明の効果】
【００１６】
本発明によれば、互いに方向性を有する容器本体及び塗布部を容易に所望の相対位置に位置決めした状態として使用し得る塗布用容器を提供することができる。
【図面の簡単な説明】
【００１７】
【図１】本発明の第一実施形態に係る斜視図。
【図２】同実施形態に係る正面図。
【図３】同他の正面図。
【図４】同分解図。
【図５】同実施形態の要部を示す平面図。
【図６】同実施形態に係る作用説明図。
【図７】同上。
【図８】同上。
【図９】図７に対応した中央正断面図。
【図１０】図８に対応した中央正断面図。
【図１１】本発明の第二実施形態に係る斜視図
【図１２】同実施形態に係る正面図。
【図１３】同他の正面図。
【図１４】同分解図。
【図１５】同実施形態に係る作用説明図。
【図１６】同上。
【図１７】図１５に対応した中央正断面図。
【図１８】図１６に対応した中央正断面図。
【発明を実施するための形態】
【００１８】
＜第一実施形態＞
以下、本発明の第一実施形態について図１〜図１０を参照して説明する。
【００１９】
本実施形態に係る塗布用容器１は、例えば塗布物としての接着剤Ｂを塗布するためのものである。この塗布用容器１は、容器本体２に取付けられた押圧ボタン３を指などで押圧することにより容器本体２内に収容された密閉部たるチューブＴに充填された接着剤Ｂが塗布部たるノズル６へと押し出され、当該ノズル６の先端面６８から接着剤Ｂを対象物へ塗布し得るものである。この塗布用容器１は、別体であるカバーＣと対をなして通常取り扱われる。すなわち、使用しない状態では図３に示すように、カバーＣによりノズル６の先端が密閉されることにより、接着剤Ｂが外気に触れることを回避した状態となるものであるが、カバーＣの構成についての具体的な記載は省略する。またチューブＴは、例えば薄板状に成形されたアルミ板を接着剤Ｂを密閉保持した状態で成形されたチューブ本体Ｔ１と、チューブ本体Ｔ１の一端側で雄ねじ状に成形された取付ねじ部Ｔ２と、取付ねじ部Ｔ２のさらに一端側においてアルミ素材を薄く構成することにより、取付ねじ部Ｔ２に囲まれた内側でアルミ素材が破られた状態で接着剤Ｂを外部へ抽出させ得る抽出面Ｔ３とを有している。当該チューブＴの構成としては、例えば既存の接着剤Ｂや液状またはゲル状の薬品等を保持するために考案された既存のものである。すなわち、チューブＴはそれ単体でも容器として使用され得るものである。その場合、チューブ本体Ｔ１の表面に表裏をなすよう平面状にそれぞれ形成された腹部Ｔ４が指等で押圧されることにより、抽出面Ｔ３のアルミ素材が破られた箇所から塗布物つまり接着剤ＢがチューブＴ外部へ抽出され得る。
【００２０】
そしてこの塗布用容器１は、図４に示すように、その構成部品として、上記の容器本体２、押圧ボタン３及びノズル６の他、容器本体２内に装着される内キャップ４と、ノズル６を固定した状態で容器本体２に外嵌する外キャップ５とを有し、これらを適宜組み立てることによってなるものである。
【００２１】
ここで、本実施形態に係る塗布用容器１は、接着剤Ｂを収容し方向性を有する形状をなす容器本体２と、当該容器本体２に収容された接着剤Ｂを対象物に対し塗布するように前記容器本体２に取付けられるものであり方向性を有する傾斜先端部６４を形成したノズル６とを有する塗布用容器１であって、前記ノズル６が前記接着剤Ｂを塗布し得ない状態で前記容器本体２及び前記ノズル６とを係合させる前記第一の係合位置（Ｐ）と、当該第一の係合位置（Ｐ）から前記容器本体２及び前記ノズル６が互いに所定の方向性をなし且つ前記ノズル６が前記接着剤Ｂを塗布し得る状態で相対移動不能に係合させる第二の係合位置（Ｑ）とで前記容器本体２及び前記ノズル６を係合させ得るとともに前記第一の係合位置（Ｐ）から前記第二の係合位置（Ｑ）への動作を案内し得る係合案内部２５を具備してなることを特徴とする。
【００２２】
以下、塗布用容器１の各部の構成について詳述する。
【００２３】
容器本体２は、例えば樹脂により一体成型されたもので、ノズル６を位置付けた先端とは反対である基端側に設けられた樹脂ヒンジを介して対称に成型された、所謂半割構造をなすものである。つまり容器本体２は収容する他の構成要素を樹脂ヒンジを介して挟み込む態様で保持している。この容器本体２は、長手方向、幅方向共に中心に当たる位置を開口させて形成し押圧ボタン３を表出させ得るボタン穴２１と、押圧ボタン３を内面側且つ基端近傍で挟持するための溝であるボタン取付部２２と、内キャップ４を内面側且つ先端近傍で挟持するための溝である内キャップ取付部２３と、外キャップ５を外嵌させ得る外キャップ取付部２４とを有している。そしてこの外キャップ取付部２４が、本発明に係る係合案内部２５を有しているものであるが、当該係合案内部２５の具体的な構成については後に詳述する。
【００２４】
押圧ボタン３は、例えば弾性を有する樹脂によって一体成形された対称形状をなすもので、使用者に直接押圧されるボタン本体３１と、このボタン本体３１に押圧されてチューブ本体Ｔ１の、詳細には平面状をなす腹部Ｔ４を一方の面、他方の面からともに均一な強さで押圧することができる押圧板３２と、これら対をなすボタン本体３１と押圧板３２とを樹脂の弾性により動作可能に保持し、容器本体２の基端側で表出する基端部３３とを有している。ボタン本体３１は、具体的に説明すると、指等が滑らず摘みやすいように複数のリブを等間隔に配置する凹凸形状に形成された操作部３４と、操作部３４の基端側から相寄る方向に突出し、突出した端部で押圧板３２に当接し得る伝達リブ３５とを有している。
【００２５】
内キャップ４は、チューブＴを容器本体２の内部に固定するためのものであり、チューブＴの取付ねじ部Ｔ２にねじ止めする雌ねじ部４１と、容器本体２の内キャップ取付部２３に挿入される被取付フランジ４２と、ノズル６に当接してノズル６の長手方向の位置決めをなすノズル当接部４３とを有している。なお本実施形態では、内キャップ４のチューブＴに対するねじ止めを円滑に行わせるよう、被取付フランジ４２の外周面に凹凸を形成している。
【００２６】
外キャップ５は、先端部に液だれ防止部５０を設けてノズル６からこぼれた接着剤Ｂが落下してしまう不具合を有効に回避し得るものである。そしてこの外キャップ５は、容器本体２の内キャップ取付部２３を外側から覆い得る外嵌部５１と、表面に雄ねじ面５６を形成することによりカバーＣを所定位置で位置決めし得るカバー止め部５２と、ノズル６を軸方向に固定するための位置決め溝５７を有するノズル取付部５３と、外嵌部５１の一部を開口させた開口部５４とを有している。外嵌部５１は、本実施形態では内側へ向けて外キャップ取付部２４に対し係合し得る回転係合爪５５を有している。この回転係合爪５５は、樹脂素材を適宜切り欠くことによって円周方向に延出させた延出部５８と、延出部５８の先端において内側に突出させ、外キャップ取付部２４に対して直接係り合わせるための係合端５９とを有している。
【００２７】
ノズル６は、内部の接着剤Ｂの有無がわかり易い様に透明又は半透明の樹脂によって一体成形されたものである。ノズル６は、容器本体２から表出するノズル本体６１と、外キャップ５に対して取付けられる被取付部６２と、この被取付部６２よりも基端側で接着剤Ｂを抽出する抽出管６３とを有している。ノズル本体６１は、先端側を傾斜方向に切り欠くことにより先端面６８を形成する傾斜先端部６４を有している。被取付部６２は外キャップ５に長手方向に位置決めされるフランジ６５と、軸心廻りの回転を禁止するために突出した位置決めリブ６６とを有している。ここで、ノズル６の傾斜先端部６４は、ノズル本体６１を斜め方向に切断して先端面６８を形成している。斯かる先端面６８はノズル本体６１に斜め平面状である切り口を呈している。これによりノズル６は、対象物に対する向きを異ならせることで対象物に対する接触面積を異ならせ得る先端形状をなす。つまりノズル６は方向性を有した形状をなす。
【００２８】
しかして本実施形態に係る塗布用容器１は、前記ノズル６が前記接着剤Ｂを塗布し得ない状態で前記容器本体２及び前記ノズル６とを係合させる前記第一の係合位置（Ｐ）と、当該第一の係合位置（Ｐ）から前記容器本体２及び前記ノズル６が互いに所定の方向性をなした前記ノズル６が前記接着剤Ｂを塗布し得る状態で相対移動不能に係合させる第二の係合位置（Ｑ）とで前記容器本体２及び前記ノズル６を係合させ得るとともに前記第一の係合位置（Ｐ）から前記第二の係合位置（Ｑ）への動作を案内し得る係合案内部２５を具備してなる。
【００２９】
本実施形態では係合案内部２５を、容器本体２の外キャップ取付部２４に設けるとともに、この係合案内部２５は、ノズル６を回転不能に取付得るノズル取付部５３を有した外キャップ５に設けた回転係合爪５５に対し係合及び案内することにより、ノズル６を第一の係合位置（Ｐ）及び第二の係合位置（Ｑ）へと間接的に位置決めしている。
【００３０】
係合案内部２５は、特に図５に示すように、係合端５９を挿入させるための導入案内溝２６と、第一の係合位置（Ｐ）にノズル６を間接的に位置決めする第一係合穴２７と、この第一係合穴２７からねじ送り方向に連続する溝である回転案内溝２８と、この回転案内溝２８に案内されて係合端５９を移動不能に位置決めすることによりノズル６を第二の係合位置（Ｑ）に間接的に固定する第二係合穴２９とを有している。
【００３１】
ここで図６〜図１０を参照しつつ、ノズル６を第一の係合位置（Ｐ）から第二の係合位置（Ｑ）へ案内することにより、ノズル６の向きを使用に際し好適な位置へ位置決めしつつ塗布用容器１を使用可能な状態とする一連の動作について説明する。
【００３２】
まず図６では、ノズル６を固定した外キャップ５を容器本体２へ向けて導入する際の態様を示している具体的には、回転係合爪５５の係合端５９を、導入案内溝２６に挿入し得る位置に合わせる。そしてこの状態からさらに係合端５９を導入案内溝２６に沿って基端側へ動作させると、図７及び図９に示す第一の係合位置（Ｐ）をとる。この第一の係合位置（Ｐ）では、ノズル６の基端すなわち抽出管６３の貫通端６７はチューブＴの抽出面Ｔ３から離間しているため、接着剤Ｂをノズル６内へ注入させ得ない状態となっている。
【００３３】
ここで、図７に示す状態から係合端５９を回転案内溝２８にそって回転させるように外キャップ５をねじ送り動作させると貫通端６７が回転しながら抽出面Ｔ３を貫通しチューブＴ内部へ挿入される。そして本実施形態では第一の係合位置（Ｐ）から９０°回転する様ねじ送り動作を行ったところで、図８及び図１０に示すような第二係合穴２９に係合端５９が挿入される。この状態では係合端５９は第二係合穴２９に深く嵌ることにより、通常の操作力を大きく上回る外力によらなければ当該係り合いは解除され得なくなっている。そして同図の状態ではノズル６は位置決めリブ６６が位置決め溝５７に嵌り回転動作が禁止されている上、フランジ６５がノズル当接部４３に当接してノズル６の延出方向の動作も禁止されることにより、ノズル６は容器本体２に対し、間接的に第二の係合位置（Ｑ）で固定された状態となっている。
【００３４】
そしてこの第二の係合位置（Ｑ）では、ノズル６の先端面６８は容器本体２に取付けられた押圧ボタン３のボタン本体３１が表出する向きと同じ向きを向いた状態となっている。すなわち操作部３４が表出する向きと、ノズル６の先端面６８が臨む向きとが一致する。よって、チューブ本体Ｔ１の腹部Ｔ４及び操作部３４が表出する向きと、ノズル６の先端面６８が臨む向きとが一致することになる。つまり、チューブＴの押圧操作と先端面６８からの接着剤Ｂの吐出の視認とが容易となる。これにより、使用者はボタン本体３１を押圧する向きから先端面６８の向きを感覚的に把握しやすい状態で接着剤Ｂを塗布し得る。
【００３５】
以上のような構成とすることにより、本実施形態に係る塗布用容器１は、ノズル６を所望の位置つまり第一の係合位置（Ｐ）へと係合させておけば、保管時や出荷・搬送時等に塗布物たる接着剤Ｂが誤って漏出したり塗布されたりし得ない状態を維持することができる。加えて当該第一の係合位置（Ｐ）からは係合案内部２５により、第二の係合位置（Ｑ）へ正確に案内し得るので、使用者は容易に塗布用容器１を使用し得る状態へとすることができる。そして第二の係合位置（Ｑ）で係合させた状態であれば、塗布部を容器本体に対し所望の位置で係合させた状態で接着剤Ｂを安定して塗布し得る。また第二の係合位置（Ｑ）では容器本体２とノズル６との相対移動が禁止されているので、使用者は塗布作業を好適に行うことができる。
【００３６】
第二の係合位置（Ｑ）への正確な案内を簡単な動作で実現するために本実施形態では、係合案内部２５が、前記ノズル６と前記容器本体２と相対的に回転させながらねじ送り動作をすることにより前記第二の係合位置（Ｑ）へ案内されるものとしている。
【００３７】
また本実施形態ではノズル６の傾斜先端部６４を容器本体２の向きに応じて位置決めすることで、使用者がノズル６の向きを容易に調整して、好適に接着剤Ｂを塗布し得るものとしている。
【００３８】
第一の係合位置（Ｐ）での接着剤Ｂの塗布を確実に禁止するとともに、第二の係合位置（Ｑ）での接着剤Ｂの塗布を確実なものとする為に本実施形態では、容器本体２が、前記接着剤Ｂを密閉したチューブＴを収容することにより前記接着剤Ｂを収容したものであるとともに、前記第二の係合位置（Ｑ）で前記ノズル６の基端にある抽出管６３が前記チューブＴの内部に挿入され得るものとしている。
【００３９】
また、使用者の操作によって所望の量やタイミングで接着剤Ｂを塗布し得る態様として本実施形態では、容器本体２が、押圧操作されることにより前記接着剤Ｂをノズル６へ供給し得るボタンを取付けたものであり、当該ボタンが前記容器本体２から表出する方向に傾斜先端部６４の向きを合わせることで、ノズル６の向きと接着剤Ｂの供給量を自在に調整し得るものとなっている。
【００４０】
＜第二実施形態＞
以下、本発明の第二実施形態について図１１〜図１８に示して説明する。同実施形態において、上記第一実施形態における構成要素に相当するものについては同じ符号を付すとともに、その詳細な説明を省略する。
【００４１】
本実施形態に係る塗布用容器１０は、上記実施形態に同じく第二の係合位置（Ｑ）でノズル６の先端面６８の向きと、容器本体２から表出するボタン本体３１ａの向きとを平面視同じ向きを向くようにしたものであるが、係合案内部２５ａが、前記第一の係合位置（Ｐ）から前記ノズル６と前記容器本体２とを接合させる方向に前記第二の係合位置（Ｑ）へ案内する態様を適用している。
【００４２】
以下、当該塗布用容器１０の構成について、上記実施形態とは異なる構成を主として説明する。なお同実施形態では、内キャップ４、ノズル６及びチューブＴ、カバーＣについては上記実施形態と略同様の構成をなすため、その詳細な説明は省略する。
【００４３】
容器本体２は、上記実施形態同様のボタン穴２１、ボタン取付部２２、内キャップ取付部２３を有している概略半割構造をなすものであるが、外キャップ取付部２４ａは内キャップ取付部２３同様、容器本体２内に挿入されるものとし、さらに容器本体２の先端側には前記の半割部分同士を係止させ得る係止部を設けている。
【００４４】
押圧ボタン３は、対をなすボタン本体３１ａが基端部３３に動作可能に接続されたものであり、ボタン本体３１ａが直接操作され得る操作部３４ａとこの操作部３４ａの裏面側で直接チューブ本体Ｔ１の腹部Ｔ４を均一に押圧し得る押圧面３２ａとを有するものとし、上記実施形態における押圧板３２の構成が省略されたものとしている。
【００４５】
外キャップ５は、カバー止め部５２、ノズル取付部５３については上記実施形態同様の構成をなすものであるが、開口部５４の構成を省略したものとしている。そして、外キャップ取付部２４ａに装着されるための挿入部５１ａを有している。この挿入部５１ａは、カバー止め部５２から基端側に突出させた計４本の押圧係合爪５５ａを有する、この押圧係合爪５５ａは、基端側へ延伸する延出部５８ａと、延出部５８ａの先端で係合案内部２５ａに係り合う係合端５９ａとを有している。本実施形態では、第二の係合位置（Ｑ）での容器本体２及びノズル６の正確な位置決めを実現し易くするよう、前記係合案内部２５ａが、前記第一の係合位置（Ｐ）から前記ノズル６と前記容器本体２とを接合させる方向に沿って前記第二の係合位置（Ｑ）へ案内する態様を適用している。
【００４６】
係合案内部２５ａは、特に図１１、１４等に示すように、係合端５９ａを挿入させて第一の係合位置（Ｐ）にノズル６を間接的に位置決めする第一係合穴２７ａと、この第一係合穴２７ａから直線方向に連続する溝である押圧案内溝２８ａと、この押圧案内溝２８ａに案内されて係合端５９ａを移動不能に位置決めすることによりノズル６を第二の係合位置（Ｑ）に間接的に固定する第二係合穴２９ａとを有している。
【００４７】
ここで図１５〜図１８を参照しつつ、ノズル６を第一の係合位置（Ｐ）から第二の係合位置（Ｑ）へ案内することにより、ノズル６の向きを使用に際し好適な位置へ位置決めしつつ塗布用容器１０を使用可能な状態とする一連の動作について説明する。
【００４８】
まず図１５では、ノズル６を固定した外キャップ５を容器本体２へ向けて導入する際の態様を示している。具体的には、押圧係合爪５５ａの係合端５９ａを、第一の係合位置（Ｐ）である第一係合穴２７ａに係合させる。この第一の係合位置（Ｐ）では、ノズル６の基端すなわち抽出管６３の貫通端６７はチューブＴの抽出面Ｔ３から離間しているため、接着剤Ｂをノズル６内へ注入させ得ない状態となっている。
【００４９】
ここで、図１５に示す状態から係合端５９ａを押圧案内溝２８ａに沿って接合動作させると貫通端６７が回転せずに抽出面Ｔ３を貫通しチューブＴ内部へ挿入される。そして本実施形態では外キャップ５を動作終端まで動作させたところで、図１６及び図１８に示すような第二係合穴２９ａに係合端５９ａが挿入される。この状態では係合端５９ａは第二係合穴２９ａに深く嵌ることにより、通常の操作力を大きく上回る外力によらなければ当該係り合いは解除され得なくなっている。そして同図の状態ではノズル６は位置決めリブ６６が位置決め溝５７に嵌り回転動作が禁止されている上、フランジ６５がノズル当接部４３に当接してノズル６の延出方向の動作も禁止されることにより、ノズル６は容器本体２に対し、間接的に第二の係合位置（Ｑ）で固定された状態となっている。
【００５０】
そしてこの第二の係合位置（Ｑ）では、ノズル６の先端面６８は容器本体２に取付けられた押圧ボタン３のボタン本体３１ａが表出する向きと同じ向きを向いた状態となっている。これにより、使用者はボタン本体３１ａを押圧する向きから先端面６８の向きを感覚的に把握しやすい状態で接着剤Ｂを塗布し得る。
【００５１】
このように、押圧動作により第二の係合位置（Ｑ）とするものであってもノズル６は好適に第二の係合位置（Ｑ）へと位置決めされ、上記実施形態同様に、塗布用容器１０の快適な使用が担保される。
【００５２】
以上、本発明の実施形態について説明したが、各部の具体的な構成は、上述した実施形態のみに限定されるものではなく、本発明の趣旨を逸脱しない範囲で種々変形が可能である。
【００５３】
例えば、上記実施形態では塗布物として接着剤を適用した態様を開示したが、勿論、のりやインキなど、塗布を行い得るもので容器に収容し得る液状やゲル状をなすようなものあればよい。また容器本体の容量やノズルの具体的な形状といった各部の具体的な態様は上記実施形態のものに限定されることはなく、断面視で三角形や多角形状のノズルをはじめ既存のものを含め、種々の態様のものを適用することができる。
【００５４】
その他、各部の具体的構成についても上記実施形態に限られるものではなく、本発明の趣旨を逸脱しない範囲で種々変形が可能である。
【産業上の利用可能性】
【００５５】
本発明は接着剤などの塗布物を塗布するための塗布用容器として利用することができる。
【符号の説明】
【００５６】
１、１０…塗布用容器
２…容器本体
２５、２５ａ…係合案内部
６…ノズル
６３…抽出管
６４…傾斜先端部
６７…貫通端
６８…先端面
Ｂ…塗布物
Ｐ…第一の係合位置
Ｑ…第二の係合位置
Ｔ…チューブ
【図１】
2013159392.tif 000003
【図２】
2013159392.tif 000004
【図３】
2013159392.tif 000005
【図４】
2013159392.tif 000006
【図５】
2013159392.tif 000007
【図６】
2013159392.tif 000008
【図７】
2013159392.tif 000009
【図８】
2013159392.tif 000010
【図９】
2013159392.tif 000011
【図１０】
2013159392.tif 000012
【図１１】
2013159392.tif 000013
【図１２】
2013159392.tif 000014
【図１３】
2013159392.tif 000015
【図１４】
2013159392.tif 000016
【図１５】
2013159392.tif 000017
【図１６】
2013159392.tif 000018
【図１７】
2013159392.tif 000019
【図１８】
2013159392.tif 000020